【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
導管を通る流体の流量に関連した情報を離れた第三者に与えるための方法であって、
各々が、前記導管を通る流体の流れによって発生される音波を表わす信号を発生させる１つ以上の音響トランスデューサを前記導管の外側で導管に近接させて配設する工程と、
前記１つ以上の音響トランスデューサから前記信号を連続的に収集する工程と、
前記導管を通る流体の流量を決定するように前記信号を処理する工程と、
前記流量に関連した情報を前記離れた第三者に伝達する工程とを具備する方法。
【請求項２】
前記１つ以上の音響トランスデューサから発生された信号は、ローカルのモニタ装置によって受信並びに収集され、続いて、前記導管を通る流体の流量を決定するために前記信号を処理するように、前記ローカルのモニタ装置から、離れた中央処理設備へと伝送される請求項１の方法。
【請求項３】
前記１つ以上の音響トランスデューサは、前記導管近くに近接させて配設されるが、物理的に接触しない請求項１の方法。
【請求項４】
導管を通る流体の流れをモニタし、第三者に流量を伝達するための方法であって、
各々が、前記導管を通る流体の流れによって発生される音波の測定振幅を表わす信号を発生させる１つ以上の音響トランスデューサを、前記導管の外側で導管に近接させて配設する工程と、
このような音響の信号を連続的に受信し、この信号を前記測定振幅を表わすデジタル化データに連続的に処理する工程と、
前記導管を通る流体の流量を前記測定振幅に基づいて決定するように、前記デジタル化データをコンピュータ解析する工程と、
前記流量を前記第三者に伝達する工程とを具備する方法。
【請求項５】
前記信号を連続的に受信し、この信号を前記測定振幅を表わすデジタル化データに連続的に処理する工程は、前記音響トランスデューサに実質的に近接したモニタ装置によって果たされる請求項４の方法。
【請求項６】
前記導管を通る流体の流量を決定するために前記デジタル化データをコンピュータ解析するように、このデジタル化データを前記モニタ装置から中央処理設備に伝送する工程をさらに具備する請求項５の方法。
【請求項７】
前記モニタ装置は、前記信号を前記測定振幅を表わすデジタル化データに連続的に処理する前に、各音響トランスデューサからの前記信号を増幅し、かつ外部ノイズを除去するために、１つ以上の増幅かつフィルター回路を有する請求項５の方法。
【請求項８】
前記デジタル化データを前記モニタ装置から中央処理設備に伝送する工程は、前記モニタ装置と関連した無線周波数トランシーバーによって果たされる請求項６の方法。
【請求項９】
前記モニタ装置は、ソーラーパネルアレイによって連続して再充電されるバッテリーにより電力供給される請求項５の方法。
【請求項１０】
前記流量を前記第三者に伝達する工程は、第三者によりアクセス可能なインターネットウェブサイトに前記流量をエクスポートすることによって果たされる請求項４の方法。
【請求項１１】
導管を通る流体の流れをモニタし、流量を第三者に伝達する方法であって、
前記導管を通る流体の流れによって発生される音波の振幅を検出する工程と、
前記検出された振幅を表す信号を発生させる工程と、
前記検出された振幅を表わす信号をモニタ装置に連続的に伝送する工程と、
前記信号を、測定振幅を表わすデジタル化データに処理する工程と、
前記測定振幅に基づいて前記導管を通る流量を決定するように、前記デジタル化データをコンピュータ解析する工程と、
前記流量を前記第三者に伝達する工程とを具備する方法。
【請求項１２】
設備の操作動力を推定する方法であって、
各々が、選定された各導管を通るエネルギー物資の流れによって発生される音波を表わす信号を発生させるように少なくとも１つの音響トランスデューサを有する少なくとも１つのモニタ装置を、前記設備の選定された複数の導管の各々の外側で導管に近接させて配設する工程と、
各モニタ装置が、前記信号を連続的に受信し、この信号を前記音波を表わすデジタル化データに処理する工程と、
各選定された導管を通るエネルギー物資の流量を決定するように、前記デジタル化データを処理する工程と、
前記決定された流量に基づいて、前記設備の操作動力を推定する工程と、
前記設備の操作動力に関連した情報を前記第三者に伝達する工程とを具備する方法。
【請求項１３】
各モニタ装置は、選定された各導管を通るエネルギー物資の流量を決定するために前記デジタル化データを処理して、この決定された流量に基づいて前記設備の操作動力を推定するように、前記音波を表わすデジタル化データを離れた中央処理設備に伝送する請求項１２の方法。
【請求項１４】
導管を通る流体の流れを推定するための方法であって、
各々が、前記導管を通る流体の流れによって発生される音波の測定振幅を表わす信号を発生させる１つ以上の音響トランスデューサを前記導管の外側で導管に近接させて配設する工程と、
前記導管を通る実際の流体の流れをモニタする工程と、
前記測定振幅と前記実際の流体の流れとの数学的関係を確立するように、前記測定振幅を前記実際の流体の流れと比較する工程と、
前記導管、若しくは同様の物理的な特徴を有する他の導管を通る流体の流れのさらなる推定のために、前記確立された数学的関係を使用する工程とを具備する方法。
【請求項１５】
導管を通る流体の流量に関係した情報を離れた第三者にリアルタイムで与えるための方法であって、
各々が、前記導管を通る流体の流れによって発生される音波を表わす信号を発生させる１つ以上の音響トランスデューサを前記導管の外側で導管に近接させて配設する工程と、
前記１つ以上の音響トランスデューサから前記信号を連続的に収集する工程と、
前記導管を通る流体の流量を決定するように前記信号を処理する工程と、
前記流量に関連した情報を前記離れた第三者にリアルタイムで伝達する工程とを具備する方法。
【請求項１６】
前記１つ以上の音響トランスデューサによって発生された信号は、ローカルのモニタ装置によって受信並びに収集され、続いて、前記導管を通る流体の流量を決定するために前記信号を処理するように、前記ローカルのモニタ装置から、離れた中央処理設備へと伝送される請求項１５の方法。
【請求項１７】
前記１つ以上の音響トランスデューサは、前記導管近くに近接させて配設されるが、物理的に接触しない請求項１５の方法。
【請求項１８】
前記流量に関連した情報を前記離れた第三者にリアルタイムで伝達する工程は、前記第３者によりアクセス可能なインターネットウェブサイトに前記流量に関連した情報をエクスポートすることにより果たされる請求項１５の方法。
【請求項１９】
前記流量に関連した情報を前記離れた第三者に伝達する工程は、前記第３者によりアクセス可能なインターネットウェブサイトに前記流量に関連した情報をエクスポートすることにより果たされる請求項１の方法。
【請求項２０】
前記流量を前記第三者に伝達する工程は、前記第３者によりアクセス可能なインターネットウェブサイトに前記流量をエクスポートすることにより果たされる請求項１１の方法。
【請求項２１】
前記設備の操作動力に関連した情報を前記第三者に伝達する工程は、前記第三者によりアクセス可能なインターネットウェブサイトに前記設備の操作動力に関係した情報をエクスポートすることにより果たされる請求項１２の方法。